(57)【特許請求の範囲】
【請求項１】
ポンプ（１）の先端に設けたフイルターカバー（３）に，下面摺動部に山形摺動片（１９）と吸水路（１７）を形成したゴム状弾性体よりなる円形ワイパー（１３）を，該ワイパー中央部に設けた嵌合穴（１５）により嵌着し，
前記ポンプ（１）のポンプ排水管（６）に，適当な長さに形成して，一端に排水管（６）の挿入口と，他端に握り手（８）を設けた排水管延長パイプ（７）を挿着して操作ハンドルとなし，その末端に排水ホース（９）を連結したことを特徴とする浴槽水浄化掃除機．
【請求項２】
請求項１記載の浴槽水浄化掃除機において，前記円形ワイパー（１３）の下面摺動部の外周か外周に近い内側円周上に吸水路（１６）を挟んで分断された，複数の山形摺動片（１９）を設けたことを特徴とする浴槽水浄化掃除機．
【請求項３】
請求項１記載の浴槽水浄化掃除機において，前記円形ワイパー（１３）の下面摺動部の外周か，外周に近い内側円周上に形成した円輪状の山形摺動帯（２０）の複数箇所に吸水口（１７）を設けたことを特徴とする浴槽水浄化掃除機．
【発明の詳細な説明】
【０００１】
【発明の属する技術分野】
本発明は，浴槽水底の沈殿物を除去する浴槽水浄化掃除機に関する．
【０００２】
【従来の技術】
従来一般家庭における風呂水浄化法としては，湯面や湯中を浮遊する湯垢や毛髪等の異物を湯垢すくい網ですくい取っていた．
【０００３】
【発明の解決しようとする課題】
近年の老人所帯を含む急激な核家族化に伴う家族の減少で，風呂水の汚染度は少なくなったが，浴槽水底の沈殿物だけはすくい網によっても如何ともしがたく，上澄みのきれいな水もその都度一緒に無駄に流して捨てていた
【０００４】
本発明は湯面や湯中を浮遊する毛髪等の異物のみならず，浴槽水底に沈殿した毛髪や，湯垢や，ぬめりまでも簡単に除去することが出来る浴槽水浄化掃除機の提供を目的とするものである．
【０００５】
【課題を解決するための手段】
上記目的を達成するために，本発明の浴槽水浄化掃除機においては，ポンプ先端に，フィルター露出型のフィルターカバーを取りつけ，該フイルターカバー先端に，下面に摺動部を設けたゴム状弾性体より成る円形ワイパーを，該ワイパー中央部に設けた嵌合穴により嵌着し，前記ポンプ排水管に，適当な長さに形成して一端に排水管差し込み口と，他端に操作握り手を設けた排水管延長パイプを挿着し，その末端に排水ホースを連結したものである．
【０００６】
ゴム状弾性体よりなる円形ワイパーは，ゆるやかな山形で，本体中央部に嵌合穴を設け，円形ワイパーの下面摺動部の外周か外周に近い内側円周上に，吸水路を挟んで分断された複数の山形摺動片を設けたものや，円形ワイパーの下面摺動部の外周か，外周に近い内側円周上に形成した円輪状の山形摺動帯の側面の複数箇所に，吸水口を設けたものなどがある．摺動片は．ワイパー効果のよい，例えば自動車のウインドワイパーゴムのような密着度のよい弾性体の素材がのぞましい．
【０００７】
通常，ポンプのフイルターカバーは，フィルターと併せて異物のポンプへの吸込みを防ぐためのもので，細かい網目に形成されているが，本浴槽水浄化掃除機のフィルターカバーについては，毛髪等の大きめの異物がすべてフイルターに吸着しやすいように，異物の流入を妨げない構造の，フィルタ  ー周囲のみを保持するフィルター露出型となっている．
【０００８】
本浴槽水浄化掃除機に用いるポンプのフイルターは，沈殿した湯垢やぬめり等の異物を少量の排水と一緒に外部に排出するのを妨げないよう，極力荒めのスポンジ材が望ましい．
【０００９】
また，ポンプと円形ワイパーをＬ型パイプで連結することにより，浴槽底と同様に浴槽内壁面の浄化掃除が出来る．
【００１０】
【発明の実施の形態】
発明実施の形態を実施例にもとづき図面を参照して説明する．
図１において，ポンプ１先端のフイルターカバー３に，下面摺動部に摺動片１９を設けた円形ワイパー１３を，該ワイパーの本体中央部に設けた嵌合穴１５により嵌着し，ポンプ１の排水管６の挿入口を一端に設けて適当な長さに形成した排水管延長パイプ７を排水管６に挿着し，その末端に排水ホース９を連結したものである．１１はポンプ配線結束バンド，１２は排水ホース保持の吸着板である．
【００１１】
図２に示される    実施例では，ポンプ１の排水管６Ｌを適当な長さに形成して端部に握り手８を設け，その末端に排水ホース９を連結したものである．排水管延長パイプ７と，排水管６Ｌに，操作ハンドルとしての機能を持たせたことで，浴槽水浄化掃除機の構造をシンプルで使い易いものにした．ポンプ１のフィルターカバー３は，毛髪等大きめの沈殿物の，フイルター５への吸着を妨げないように，フイルターの周囲だけを保持するフイルター露出型となっている．
【００１２】
図３に示される実施例では，円形ワイパー１３の下面摺動部外周の内側円周上に，吸水路１６を挟んで分断された形で設けられた．複数の円弧状摺動変１９を示す平面図である．５はポンプ１のフイルター，３は該フイルター周囲だけを保持するフイルター露出型のフイルターカバーである．
【００１３】
図４は，図３に示された円形ワイパー１３の，下面摺動部外周の内側円周上で分断された摺動片１９と，その吸水路の形状を示す側面図である．
【００１４】
図５に示される実施例では，円形ワイパー１３の下面憎動部外周の内側円周上に形成された，円輪状摺動帯２０の形状を示す側面図で１７は吸水口である．
【００１５】
図６は，図３，図５に示された摺動片１９，摺動帯２０の断面図である．円形ワイパーの形状は，円形のみならず，四角形や，楕円形や，多角形にも形成することが出来る．
【００１６】
図７に示される実施例は，約１１０度の曲がり角度を有するＬ型パイプ１８で，該Ｌ型パイプ１８ａ側をポンプ１のフイルターカバー３の先端に挿着し，１８ｂ側を円形ワイパー１３の嵌合穴１５に挿着すれば，操作ハンドルを握って浴槽内壁面も自在に浄化掃除することが出来る．
【００１７】
【発明の効果】
本発明は以上説明したように構成されているので，以下に記載されるような効果を奏する．
【００１８】
ゴム状弾性体よりなる円形ワイパーは，円形であるが故に前後左右斜めと，同じ条件で自在に浴槽水底を摺動させることができる，そして，円形ワイパー下面に設けた摺動部の摺動片１９，摺動帯２０は，浴槽水底に密着して，毛髪や，湯垢や，今まで処理出来なかったぬめりまでも，すべてかきあげてポンプ吸引の働きをたすける．
【００１９】
フィルター露出型のフイルターカバーと，荒目のスポンジ状フイルターは，毛髪等大きめの異物はすべてフイルターに吸着させ，湯垢や，ぬめり等の小さな異物は，荒目のフィルターを抜けて，少量の排水と一緒に外部に排出させて，残り湯はきれいな風呂水に再生される．露出型フイルターに付着した異物は，指でつまんで簡単に捨てることが出来る．
【００２０】
排水管兼用の操作ハンドルは，浴槽水浄化掃除機の構造をシンプルで使い易いものにしている．そして浴槽水浄化掃除機は，浄化再生された風呂水を，そのまま排水管によって洗濯機に給水することも出来る．
【００２１】
ポンプと円形ワイパーを，Ｌ型パイプで連結することにより，浴槽水底のみならず、浴槽内壁面までも浄化掃除することができる．
【００２３】
以上述べたように，残り湯を再利用することで，水道水の使用量が約半分になる節水効果と，残り湯と水道水の温度差分の湯沸かし時間短縮による燃料の節約や，風呂水入れ替えの，掃除を含む手間と時間の節約等の効果を生む。
【図面の簡単な説明】
【図１】    円形ワイパーを装着した浴槽水浄化掃除機の斜視図である．
【図２】    円形ワイパーを除いた浴槽水浄化掃除機の斜視図である。
【図３】    円弧状摺動片付き円形ワイパーの平面図である。
【図４】    図３の側面図である．
【図５】    円輪状摺動帯付き円形ワイパーの側面図である。
【図６】    摺動片１９，摺動帯２０の断面図である。
【図７】    連結Ｌ型パイプ１８の正面図である。
【符号の説明】
１                  ポンプ
２                  フイルターカバー取りつけネジ山
３                  フイルターカバー
４                  フイルターカバー内ネジ
５                  フイルター
６                  ポンプ排水管
６Ｌ                ポンプ長手排水管
７                  排水管延長パイプ兼操作ハンドル
８                  排水管兼用操作ハンドル握り手
９                  排水ホース
１０                  ポンプ配線
１１                  配線結束バンド
１２                  排水ホース保持吸着盤
１３                  円形ワイパー
１４                  山形摺動片，摺動帯の断面
１５                  嵌合穴
１６                  吸水路
１７                  吸水口
１８                  Ｌ型連結パイプ
１８ａ                Ｌ型連結パイプのフィルターカバー挿入口
１８ｂ                Ｌ型連結パイプのワイパー挿入口
１９                  山型摺動片
２０                  山型摺動帯
【図１】
0003798702.tif 000002
【図２】
0003798702.tif 000003
【図３】
0003798702.tif 000004
【図４】
0003798702.tif 000005
【図５】
0003798702.tif 000006
【図６】
0003798702.tif 000007
【図７】
0003798702.tif 000008